(57)【要約】【課題】花器において、切り花に供給する液体をこぼすことがなく、柔らかい茎の切り花であっても固定できるようにする。【解決手段】液体容器２０が土台１０に固定され、次に、糸４０の一方の端部が軸部３２にある穴３２Ａに固定され、糸４０が軸部３２に螺旋状に巻き付けられる。糸４０の端部のうち穴３２Ａに固定された側とは反対側の端部は穴３１を通して蓋部３１の底面３１Ｂ側に引き出され、引き出された端部におもり５０が固定される。次に、軸部３２が支持部材６０の貫通孔６１の第２開口部６１Ｃに差し入れられ、底面６０Ｂと蓋部３１の上面３１Ａとが接着される。次に、切り花に供給される液体が液体容器２０の中空部２１に注がれ、底面３１Ｂ側に引き出された糸４０と、この糸に固定されたおもり５０とが、この液体中に入れられる。この後、蓋部３１を、液体容器２０の中空部２１にはめ込むと鑑賞容器１が形成される。【選択図】図２
2008061757.tif 000002
【特許請求の範囲】
【請求項１】
柱体形状の容器であって柱体形状のいずれかの面に開口した第１中空部を有する容器と、
柱体形状の部材であって、該部材のいずれかの外面に開口した第２中空部と、該第２中空部の底面から開口部の方向に向かう柱体形状の軸部と、該第２中空部の底面から開口部の方向とは反対方向に向かって該部材の外面へ貫通した貫通孔と、該軸部に巻き付けられ、前記貫通孔を通って該部材の外面へ引き出された糸とを有する部材
を有し、
前記第１中空部の開口部は、前記部材の第２中空部の開口部とは反対側の部位で塞がれており、
前記部材の外面に引き出された糸が第１中空部内に位置していること
を特徴とする花器。
【請求項２】
柱体形状の容器であって柱体形状のいずれかの面に開口した第１中空部を有する容器と、
柱体形状の部材であって、該部材のいずれかの外面に開口した第２中空部と、多孔質な柱体形状の軸部であって、その一部が該第２中空部内にあり、該第２中空部の底面を通って該第２中空部の開口部とは反対の方向に向かって該部材を貫通した軸部とを有する部材を有し、
前記第１中空部の開口部は、前記部材の第２中空部の開口部とは反対側の部位で塞がれており、
前記軸部のうち、前記第２中空部とは反対側に前記部材の外部に突き出ている部分が、前記第１中空部内に位置していること
を特徴とする花器。
【請求項３】
前記第２中空部の開口部から該第２中空部の底面に向かって複数の空間が形成されるように前記第２中空部を仕切る仕切部を有することを特徴とする請求項１または２に記載の花器。
【請求項４】
前記第１中空部は、前記開口部から該第１中空部の底面に向かうにつれて狭くなっていることを特徴とする請求項１または請求項２に記載の花器。
【請求項５】
前記軸部は、前記第２中空部の底面の位置から前記第２中空部の開口部に向かうにつれて細くなっており、前記第１中空部の形状は、円柱形状であることを特徴とする請求項１または請求項２に記載の花器。
【発明の詳細な説明】
【技術分野】
【０００１】
本発明は、植物に水分を供給する技術に関する。
【背景技術】
【０００２】
近年、屋内で手軽に植物観賞ができるように、苔盆栽のような小型の鑑賞用植物が提供されている。また、屋内での植物鑑賞に鑑みて、植物観賞のために土を使用すると部屋を汚す虞があることから、土を使用せずにハイドロボールを使用した鑑賞用植物も提供されている。しかしながら、土やハイドロボールを用いて植物の栽培を行う場合、水分や養分の補給をたびたび行う必要があり手間がかかることから、屋内で植物観賞を行う際には水分補給の手間がかからない水栽培が好まれている。
【０００３】
屋内で水栽培を行うための器としては、例えば、特許文献１〜４に開示された器がある。特許文献１には、切り花を水栽培するための器として、半径方向に切れ目が設けられた円柱状の弾性体と、水に浮かぶ物体とを有する器が開示されている。円柱状の弾性体は、水に浮かぶ物体の中央部に設けられた貫通孔にはめ込まれるようになっており、切れ目においては弾力を利用して花を挟むようになっている。花を挟んだ弾性体を水に浮かぶ物体の貫通孔にはめ込んで水に浮かせると、弾性体に挟まれた花の茎の切り口が水に浸ることとなり、手軽に一輪挿しを楽しむことができる。また、特許文献２〜４には、毛細管現象を利用して植物の培地に水分を吸い上げて水分供給を行う器が開示されている。これらの技術によれば、植物を観賞する者は水分補給を頻繁に行うことなく、容易に植物を観賞することができる。
【０００４】
【特許文献１】登録実用新案第３１０９３１１号公報
【特許文献２】実開昭５９−１３２５７０号公報
【特許文献３】特開２００１−３２０９７０号公報
【特許文献４】特開平８−９８０８号公報
【発明の開示】
【発明が解決しようとする課題】
【０００５】
ところで、特許文献１，３，４に開示されている容器では、地震や人間が触れたりすると容器が倒れ、容器内にある水がこぼれてしまうという問題がある。
また、特許文献３，４に開示されている水栽培用の容器では、根を持った植物の栽培を想定しており、切り花のように根を有していない植物をうまく固定できず、切り花の鑑賞には適していないという問題がある。これに対し、特許文献１に開示されている容器によれば、弾性体に茎の部分を固定できるため、切り花の鑑賞にも使用できるが、茎の部分を固定する際には、茎の部分を保持する弾性体の切れ目部分を指で押し広げ、広げた切れ目部分に茎を入れるという面倒な作業を行う必要がある。一方、特許文献２に開示されている容器においては、中空柱体状の容器の内部に入れられた水の上方に、毛細管現象により吸い上げられた水分を保持する発泡状のブロック体が固着されており、このブロック体に茎を差し込めるようになっているため、切り花を容易に鑑賞することができる。しかしながら、切り花の中には茎が柔らかいものもあり、ブロック体に容易に差し込んで固定できないものもある。また、複数回使用する場合、複数回の茎の差し込みによりブロック体が劣化するため、ブロック体を交換するという面倒な作業を行わなければならない。
【０００６】
本発明は、上述した背景の下になされたものであり、切り花に供給する液体をこぼすことがなく、柔らかい茎の切り花であっても固定できる水栽培用の花器の提供を目的とする。
【課題を解決するための手段】
【０００７】
上述した課題を解決するために本発明は、柱体形状の容器であって柱体形状のいずれかの面に開口した第１中空部を有する容器と、柱体形状の部材であって、該部材のいずれかの外面に開口した第２中空部と、該第２中空部の底面から開口部の方向に向かう柱体形状の軸部と、該第２中空部の底面から開口部の方向とは反対方向に向かって該部材の外面へ貫通した貫通孔と、該軸部に巻き付けられ、前記貫通孔を通って該部材の外面へ引き出された糸とを有する部材を有し、前記第１中空部の開口部は、前記部材の第２中空部の開口部とは反対側の部位で塞がれており、前記部材の外面に引き出された糸が第１中空部内に位置していることを特徴とする花器を提供する。
【０００８】
また、本発明は、柱体形状の容器であって柱体形状のいずれかの面に開口した第１中空部を有する容器と、柱体形状の部材であって、該部材のいずれかの外面に開口した第２中空部と、多孔質な柱体形状の軸部であって、その一部が該第２中空部内にあり、該第２中空部の底面を通って該第２中空部の開口部とは反対の方向に向かって該部材を貫通した軸部とを有する部材を有し、前記第１中空部の開口部は、前記部材の第２中空部の開口部とは反対側の部位で塞がれており、前記軸部のうち、前記第２中空部とは反対側に前記部材の外部に突き出ている部分が、前記第１中空部内に位置していることを特徴とする花器を提供する。
【０００９】
上記花器においては、前記第２中空部の開口部から該第２中空部の底面に向かって複数の空間が形成されるように前記第２中空部を仕切る仕切部を有するようにしてもよい。
また、上記花器においては、前記第１中空部は、前記開口部から該第１中空部の底面に向かうにつれて狭くなっているようにしてもよい。
また、上記花器においては、前記軸部は、前記第２中空部の底面の位置から前記第２中空部の開口部に向かうにつれて細くなっており、前記第１中空部の形状は、円柱形状であるようにしてもよい。
【発明の効果】
【００１０】
本発明によれば、切り花に供給する液体をこぼすことがなく、柔らかい茎の切り花であっても固定することができる。
【発明を実施するための最良の形態】
【００１１】
［実施形態］
以下、図面を参照して本発明の実施形態について説明する。
図１は、本発明の一実施形態に係る花器である鑑賞容器１の斜視図であり、図２は、鑑賞容器１の分解図である。この鑑賞容器１は、切り花を鑑賞するのに用いられる花器であり、図１，２に示したように、土台１０、液体容器２０、蓋３０、糸４０、おもり５０、および支持部材６０とにより構成されている。
【００１２】
液体容器２０は、切り花に供給する液体を蓄える容器であり、図２に示したように、その形状は円柱状となっている。液体容器２０においては、長手方向の一方の端面に開口部が設けられており、長手方向のもう一方の端面は閉端面となっている。そして、開口部から閉端面に向かって円柱状の中空部２１が設けられている。なお、液体容器２０の材質は、中空部２１に蓄えられた液体が液体容器２０の外周面や底面２０Ｂから外部に漏れ出ない材質であればよく、中空部２１に注ぎ込まれた液体の量が目視できるように、プラスチックやガラス等の透明な材質であるのが好ましい。
【００１３】
土台１０は、鑑賞容器１が転倒するのを防ぐための部材であり、その形状は円盤状となっている。土台１０の円形面１０Ａの中心部には、液体容器２０の底面２０Ｂが接着剤により固定される。
【００１４】
蓋３０は、液体容器２０の中空部２１の開口部を塞ぐためのものであり、例えば、弾性を有するゴムで形成されている。具体的には、この蓋３０は、図３に示したように、円柱形状の蓋部３１と、同じく円柱形状であって蓋部３１より半径が短い軸部３２とを有している。蓋部３１には、この蓋部３１の上面３１Ａから底面３１Ｂへ貫通する穴３１Ｃが設けられている。また、蓋部３１の半径は、液体容器２０における円柱形状の中空部２１の半径より長くなっている。また、軸部３２は、蓋部３１の円形の上面３１Ａの中心部から垂直に起立するように設けられており、糸４０が固定される穴３２Ａを有している。
【００１５】
糸４０は、例えば、綿糸であり、一方の端部が軸部３２の穴３２Ａに固定されている。そして、図２に示したように、糸４０は軸部３２に螺旋状に巻き付けられ、軸部３２に固定された端部と反対側の端部は、蓋部３１の穴３１Ｃを通って蓋部３１の底面３１Ｂ側に引き出されている。なお、糸４０は、軸部３２に螺旋状に巻き付けるときには糸と糸との間にすき間が生じないように巻き付けるのが好ましい。
【００１６】
おもり５０は、蓋部３１の穴３１Ｃから引き出された糸４０の端部に取り付けられている。おもり５０の材質は、液体容器２０に注ぎ込まれる液体の密度より高い材質であり、この液体中に沈むものであればよく、プラスチック等の材質が好ましい。
【００１７】
支持部材６０は、鑑賞する切り花の茎を固定するための部材である。支持部材６０の形状は円柱状であり、支持部材６０においては、一方の円形の端面側からもう一方の円形の端面側に向かって貫通している貫通孔６１が形成されている。この貫通孔６１の形状は、円錐台状となっており、一方の第１開口部６１Ｂの直径がもう一方の第２開口部６１Ｃの直径より大きくなっている。なお、第２開口部６１Ｃの直径は、糸４０が巻き付けられた軸部３２を差し入れることが可能な直径となっており、且つ、蓋部３１の上面３１Ａの直径よりも小さくなっている。
【００１８】
鑑賞容器１を組み立てる際には、まず、液体容器２０が接着剤により土台１０に固定される。次に、糸４０の一方の端部が軸部３２に設けられた穴３２Ａに固定され、糸４０が軸部３２に螺旋状に巻き付けられる。そして、糸４０の端部のうち穴３２Ａに固定された側とは反対側の端部が穴３１を通して蓋部３１の底面３１Ｂ側に引き出され、引き出された端部におもり５０が固定される。そして、糸４０が巻き付けられた軸部３２が、支持部材６０の貫通孔６１の第２開口部６１Ｃ（直径が小さい方の開口部）に差し入れられ、支持部材６０の底面６０Ｂと、蓋部３１の上面３１Ａとが接着されて固定される。
【００１９】
次に、切り花に供給される液体７０（養分を含んだ液体または水）が液体容器２０の中空部２１に注がれ、蓋部３１の底面３１Ｂ側に引き出された糸４０と、この糸に固定されたおもり５０とが、この液体７０中に入れられる。この後、蓋３０の蓋部３１を、液体容器２０の中空部２１にはめ込むと、図１に示したように鑑賞容器１が形成される。
【００２０】
この鑑賞容器１においては、軸部３２に巻き付けられている糸４０と、支持部材６０の内周面６１Ａとの間に切り花の茎が差し込まれ、図４に示したように切り花が糸４０と内周面６１Ａとの間で固定され、切り花の茎の切り口が糸４０に接触する。
【００２１】
この鑑賞容器１においては、液体容器２０中にある液体７０は、糸４０にて生じる毛細管現象によって糸４０の全体に浸透する。軸部３２に巻き付けられている糸４０は、固定された切り花の茎の切り口に接触しているので、糸４０に浸透した液体７０が、茎の切り口に供給されて、切り花に液体７０が供給される。
【００２２】
また、この鑑賞容器１においては、蓋部３１は弾性を有しており、その直径は、中空部２１の直径より大きくなっている。このため、蓋部３１が中空部２１にはめ込まれると、蓋部３１においては蓋部３１の中心点から円周に向かう方向へ向かって、はめ込まれる前の大きさに戻ろうとする力が働き、蓋部３１の周面が液体容器２０の内周面に密着して固定される。このように蓋部３１は液体容器２０に密着して固定されるため、この状態で横倒しになったとしても、中空部２１に注がれた液体が液体容器２０の外部にこぼれ出すことがない。
【００２３】
また、この鑑賞容器１においては、貫通孔６１は、切り花が差し込まれる側の第１開口部６１Ｂから蓋３０側に向かうにつれて孔の直径が狭くなっていくため、切り花の茎が容易に固定されることとなる。また、蓋３０は、液体容器２０に対して何度も外したりはめ込んだりできるため、液体容器２０の内部に液体７０を簡単に注ぎこむことができ、何度でも液体７０を補充して繰り返し使用することができる。また、鑑賞容器１は、部品数が少なく、各部品の構成も単純な形状であるため、小型化も可能であり、また、安価に製造することができる。
【００２４】
また、鑑賞容器１においては、中空部２１は液体７０が注がれた後は蓋部３１により密閉されるため、中空部２１に注がれた液体７０は、液体７０が外気に触れる場合と比較して劣化しにくくなり、液体７０の濁りや液体容器２０内部の汚れが発生しにくくなる。また、鑑賞容器１は、単純な構造となっているため、汚れが発生したとしても容易に洗浄を行うことが可能であり、部品の交換を行うことなく繰り返し使用することができる。
また、鑑賞容器１においては、切り花の茎の切り口が液体７０中に浸かることないので、切り口が液体７０中に浸かっている場合と比較して切り口が腐食しにくくなり、切り花の鑑賞日数も、切り口が液体７０中に浸かっている場合と比較して長くなる。
【００２５】
本発明の発明者は、切り花を鑑賞できる鑑賞日数が容器の違いによって変化するか否かを調べるために試験を行ったので、以下、その試験について述べる。
試験に使用した容器は、容器内の液体が常時植物の茎および外気に触れる一般的な花瓶と、上述した鑑賞容器１であり、容器内に注ぐ液体としては、水道水と、切り花用の活力剤（商品名：キープフラワー）を水道水で５０倍に薄めた溶液とを使用した。切り花としてはスプレーギクを使用し、一つの鑑賞容器１には３本のスプレーギクを差し込み、これを８個づつ用意して計２４本のスプレーギクの鑑賞日数を観察し、また、花瓶においても同様に一つの花瓶には３本のスプレーギクを差し込み、これを８個づつ用意して計２４本のスプレーギクの鑑賞日数を観察した。なお、各鑑賞容器１と花瓶は室内に置き、各切り花には植物育成用蛍光灯を一日につき１２時間照射した。
【００２６】
そして、発明者は、（１）花瓶に水道水を入れた場合と、（２）鑑賞容器１に水道水を入れた場合と、（３）花瓶に活力剤溶液を入れた場合と、（４）鑑賞容器１に活力剤溶液を入れた場合とで、切り花の鑑賞を開始してから日が経過する毎に鑑賞可能な切り花（鑑賞に耐えられる切り花）の数を数え、日が経過していくと鑑賞可能な切り花の数がどのように減少していくかを観察した。なお、切り花が鑑賞可能であるか否かを判断する基準としては、「（１）茎が９０度以上折れ曲がってしまった場合は鑑賞不可」、「（２）花弁の５分の１以上が萎れるまたは落下した場合は鑑賞不可」というように２つの基準を設定し、切り花がこのいずれかの状態となったときは切り花が鑑賞不可となったと判断した。
【００２７】
図５は試験結果を示した表であり、図６は試験結果をグラフにして表したものである。花瓶に水道水を入れて切り花を鑑賞したときは、５日目から鑑賞可能な切り花の数が減り始め、１７日目には鑑賞可能な切り花の数が０本となった。一方、鑑賞容器１に水道水を入れて切り花を栽培したときは、７日目から鑑賞可能な切り花の数が減り始め、１８日目には鑑賞可能な切り花の数が０本となった。また、花瓶に活力剤溶液を入れたときには、１３日目から鑑賞可能な切り花の数が減り始め、２９日目には鑑賞可能な切り花の数が０本となった。一方、鑑賞容器１に活力剤溶液を入れて切り花を栽培したときは、１１日目から鑑賞可能な切り花の数が減り始め、３４日目には鑑賞可能な切り花の数が０本となった。このように、一般的な花瓶と比較した場合、本実施形態に係る鑑賞容器１においては、切り花の鑑賞可能な日数が長くなっていることが分かる。
【００２８】
なお、発明者は、切り花の観察を行うと共に、液体容器２０に注がれた液体の観察も行った。花瓶に水道水を入れて切り花を鑑賞したときは、８個の花瓶の全てにおいて、水道水の濁りとカビの発生が見られた。また、花瓶に活力剤溶液を入れた場合、２つの花瓶において活力剤溶液に著しい濁りが見られ、残りの６つの花瓶においても活力剤溶液に濁りが見られた。また、５つの花瓶においてはカビが発生しているのが観察できた。一方、本実施形態に係る鑑賞容器１においては、水道水を使用した場合に３つの容器において切り花の茎の部分にカビが発生しているのが観察できた。しかしながら、水道水や活力剤溶液の濁りについては、いずれの液体を使用した場合でも濁りの発生は観察できなかった。
【００２９】
［変形例］
以上、本発明の実施形態について説明したが、例えば、上述した実施形態を以下のように変形して本発明を実施してもよい。
【００３０】
液体容器２０に注ぐ液体は、植物の成長に必要な成分を含むことが望ましい。また、この液体は、切り花の茎の腐敗を防ぐ成分を含むのが望ましい。
【００３１】
上述した実施形態においては、糸４０は、麻、絹、ポリ乳酸等の天然素材や、ポリエステル、ポリアミド系のナイロン等の化学素材であってもよい。要は、毛細管現象が生じるのであれば、綿に限定されず、様々な素材を使用することができる。なお、上述した実施形態において糸４０の径は、径が大きくなると軸部３２に巻き付けたときに糸と糸との間の凹部が大きくなり、植物の茎との接触性が低下するため、例えば、径は０．５ｍｍ〜１．２ｍｍの径であるのが望ましい。
【００３２】
上述した実施形態においては、液体容器２０の形状は、円柱状ではなく、四角柱や多角柱、楕円柱など他の形状であってもよい。また、中空部２１の開口部の形状も円ではなく、多角形であってもよい。この場合、蓋部３１の形状も、中空部２１の開口部の形状に合わせた形状にすることとなる。
【００３３】
上述した実施形態においては、蓋３０はゴムではなく、外部からの力を受けて変形するプラスチック等で形成されていてもよい。また、蓋３０においては、軸部３２は多孔体（セラミックス多孔体またはプラスチック焼結多孔体など）としてもよい。また、蓋３０における軸部３２の形状は、角錘や円錐、円錐台であってもよい。なお、軸部３２の形状を図７に示したように円錐台状（または角錐や円錐）とした場合、支持部材６０における貫通孔６１の形状を図７に示したように円筒状としてもよい。
また、上述した実施形態においては、蓋３０は軸部３２を複数有していてもよい。
また、上述した実施形態においては、図８に示したように、多孔質の材質であって毛細管現象が生じる軸部３２が蓋部３１を貫通するようにし、蓋３０を液体容器２０にはめ込んだときに、蓋部３１の底面３１Ｂ側に突き出た軸部３２が液体容器２０中の液体に浸かるようにしてもよい。なお、このように、軸部３２を多孔体とし、蓋部３１を貫通するようにした態様においても、軸部３２において蓋部３１の上面３１Ａ側に位置する部分を、角錘や円錐、円錐台状としてもよい。
また、軸部３２が蓋部３１を貫通する構成においては、軸部３２の周面に糸４０を巻き付けるようにしてもよい。なお、蓋部３１を貫通した軸部３２に糸４０を巻き付ける場合、軸部３２を多孔質の材質としなくてもよい。また、蓋部３１を貫通した軸部３２に糸４０を巻き付ける場合、蓋部３１の底面３１Ｂ側には糸４０を巻き付けないようにしてもよい。
【００３４】
上述した実施形態においては、支持部材６０の長手方向に沿って支持部材６０の内周面６１Ａに凹凸をもうけてもよい。また、円柱状の支持部材６０の円周の方向に沿って内周面６１Ａに凹凸を設けるようにしてもよい。
【００３５】
上述した実施形態においては、土台１０を設けず、替わりに図９に示したように屈曲した板状の部材８０を液体容器２０に接着するようにしてもよい。この構成によれば、壁面などにおいて段差のある部分に板状の部材８０を引っかけることができ、テーブルなどの水平な台上だけでなく、屋内の様々なところに切り花を飾ることができる。
また、土台１０を設けないようにした場合、図１０に示したように針９０を液体容器２０に設けるようにしてもよい。この構成によれば、針９０を壁に刺すと鑑賞容器１が壁に固定されるため、テーブルなどの水平な台上だけでなく、屋内の様々なところに切り花を飾ることができる。
【００３６】
上述した実施形態においては、図１１に示したように、液体容器２０の内周面にネジ山２１Ｃを設けるとともに、蓋部３１の周面にネジ山３１Ｃを設け、雄ねじである蓋部３１を雌ねじである液体容器２０にねじこんで蓋部３１を液体容器２０に固定するようにしてもよい。
【００３７】
上述した実施形態においては、糸４０が液体容器２０中の液体７０に触れれば毛細管現象により液体７０が切り花に供給されるため、糸４０の端部におもり５０をつけなくてもよい。
また、上述した実施形態においては、貫通孔６１を円柱状にするとともに軸部３２を円柱状にしてもよい。この場合、貫通孔６１と軸部３２に巻き付けられた糸４０との間のすき間に入るように切り花の茎を斜めに切断するのが好ましい。
【００３８】
上述した実施形態においては、図１２に示したように支持部材６０の内側に複数の仕切部６２を設けるようにしてもよい。この仕切部６２は、断面円形である支持部材６０の半径方向と直交する方向に所定の厚さをもっており、貫通孔６１の周面から貫通孔６１の中心方向に突出して形成されている。仕切部６２を複数備えた支持部材６０を用いると、図１３に示したように、支持部材６０の内側は、軸部３２と複数の仕切部６２とにより複数の空間に仕切られることとなる。
この態様によれば、第１開口部６１側から差し込まれた茎が横方向にずれたとしても、ずれた茎が仕切部６２で止められて固定されることとなる。また、この態様によれば、硬い茎が挿入されて軸部３２に強い力が掛かったとしても、軸部３２が仕切部３２により支持され軸部３２にかかった力が仕切部３２に分散するので、軸部３２が折れることがない。
【００３９】
なお、図１２においては仕切部６２の数は３つとなっているが、２つでもよく、また、４つ以上であってもよい。
また、仕切部６２は、軸部３２が第２開口部６１Ｃ側から挿入された場合に、軸部３２に巻き付けられた糸４０に接触する構成であってもよい。また、軸部３２が、上述したように多孔体である場合には、各仕切部６２が軸３２に接触する構成であってもよい。
これらの態様によれば、軸部３２は仕切部６２により支持されるため、硬い茎が挿入されて軸部３２に強い力が掛かったとしても、軸部３２が曲がることがない。
また、仕切部６２を備える態様にあっては、図１４に示したように仕切部６２が支持部材６０の内周面６１Ａに沿って螺旋状に形成されていてもよい。
また、仕切部６２は、支持部材６０ではなく、軸部３２から支持部材６０の内周面６１Ａに向かって形成されていてもよい。
要は、軸部３２と支持部材６０との間の空間を複数に仕切る構成であれば、図１２や図１４に示した構成に限定されず仕切部６２は他の形状であってもよい。
【図面の簡単な説明】
【００４０】
【図１】本発明の一実施形態に鑑賞容器１（花器）の斜視図である。
【図２】同実施形態に係る鑑賞容器１の分解図である。
【図３】同実施形態に係る鑑賞容器１を構成する蓋３０の全体図である。
【図４】同実施形態に係る鑑賞容器１に切り花を差し込んだときの図である。
【図５】切り花の鑑賞日数に関する試験結果を表した図である。
【図６】切り花の鑑賞日数に関する試験結果を表したグラフである。
【図７】本発明の変形例に係る蓋３０と支持部材６０とを示した図である。
【図８】本発明の変形例に係る鑑賞容器１を示した図である。
【図９】本発明の変形例に係る鑑賞容器１を示した図である。
【図１０】本発明の変形例に係る鑑賞容器１を示した図である。
【図１１】本発明の変形例に係る蓋３０と液体容器２０とを示した図である。
【図１２】本発明の変形例に係る支持部材６０の一部破断図である。
【図１３】本発明の変形例に係る鑑賞容器１に切り花を差し込んだときの図である。
【図１４】本発明の変形例に係る支持部材６０の断面図である。
【符号の説明】
【００４１】
１・・・鑑賞容器（花器）、１０・・・土台、２０・・・液体容器、３０・・・蓋、４０・・・糸、５０・・・おもり、６０・・・支持部材
【図１】
2008061757.tif 000003
【図２】
2008061757.tif 000004
【図３】
2008061757.tif 000005
【図４】
2008061757.tif 000006
【図５】
2008061757.tif 000007
【図６】
2008061757.tif 000008
【図７】
2008061757.tif 000009
【図８】
2008061757.tif 000010
【図９】
2008061757.tif 000011
【図１０】
2008061757.tif 000012
【図１１】
2008061757.tif 000013
【図１２】
2008061757.tif 000014
【図１３】
2008061757.tif 000015
【図１４】
2008061757.tif 000016
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
開口を有する容器であって、内部が中空となっている該容器の開口に通じる第１中空部を有する柱体形状の容器と、
底面以外の箇所に開口を有する柱体形状の部材であって、該部材は、
該部材の底面から部材の開口へ向かう柱体形状の軸部と、
該部材の開口に通じる第２中空部と、
該部材の底面から第２中空部に貫通した貫通孔と、
該軸部に巻き付けられ、前記貫通孔を通って該部材外面へ引き出された糸を有しており、
前記容器の開口は、前記部材の底面で塞がれており、
前記部材の外面に引き出された糸が、第１中空部内に位置していることを特徴とする花器。
【請求項２】
開口を有する容器であって、内部が中空となっている該容器の開口に通じる第１中空部を有する柱体形状の容器と、
底面以外の箇所に開口を有する柱体形状の部材であって、該部材は、
該部材の開口に通じる第２中空部と、
該部材の底面側から該部材の底面を貫通して該部材の開口へ向かう柱体形状の多孔質な軸部とを有しており、
前記容器の開口は、前記部材の底面で塞がれており、
前記軸部のうち、前記部材の底面側へ突出した軸部が前記第１中空部内に位置していること
を特徴とする花器。
【請求項３】
前記部材の開口から前記部材の底面の方向に向かって複数の空間が形成されるように前記第２中空部を仕切る仕切部を有することを特徴とする請求項１または請求項２に記載の花器。
【請求項４】
前記第２中空部は、前記部材の開口から前記部材の底面の方向に向かうにつれて狭くなっていることを特徴とする請求項１または請求項２に記載の花器。
【請求項５】
前記軸部は、前記第２中空部の底面の位置から前記部材の開口に向かうにつれて細くなっており、前記第２中空部の形状は、円柱形状であることを特徴とする請求項１または請求項２に記載の花器。
【手続補正２】
【補正対象書類名】明細書
【補正対象項目名】０００７
【補正方法】変更
【補正の内容】
【０００７】
上述した課題を解決するために本発明は、開口を有する容器であって、内部が中空となっている該容器の開口に通じる第１中空部を有する柱体形状の容器と、底面以外の箇所に開口を有する柱体形状の部材であって、該部材は、該部材の底面から部材の開口へ向かう柱体形状の軸部と、該部材の開口に通じる第２中空部と、該部材の底面から第２中空部に貫通した貫通孔と、該軸部に巻き付けられ、前記貫通孔を通って該部材外面へ引き出された糸を有しており、前記容器の開口は、前記部材の底面で塞がれており、前記部材の外面に引き出された糸が、第１中空部内に位置していることを特徴とする花器を提供する。
【手続補正３】
【補正対象書類名】明細書
【補正対象項目名】０００８
【補正方法】変更
【補正の内容】
【０００８】
また、本発明は、開口を有する容器であって、内部が中空となっている該容器の開口に通じる第１中空部を有する柱体形状の容器と、底面以外の箇所に開口を有する柱体形状の部材であって、該部材は、該部材の開口に通じる第２中空部と、該部材の底面側から該部材の底面を貫通して該部材の開口へ向かう柱体形状の多孔質な軸部とを有しており、前記容器の開口は、前記部材の底面で塞がれており、前記軸部のうち、前記部材の底面側へ突出した軸部が前記第１中空部内に位置していることを特徴とする花器を提供する。
【手続補正４】
【補正対象書類名】明細書
【補正対象項目名】０００９
【補正方法】変更
【補正の内容】
【０００９】
上記花器においては、前記部材の開口から前記部材の底面の方向に向かって複数の空間が形成されるように前記第２中空部を仕切る仕切部を有するようにしてもよい。
また、上記花器においては、前記第２中空部は、前記部材の開口から前記部材の底面の方向に向かうにつれて狭くなっているようにしてもよい。
また、上記花器においては、前記軸部は、前記第２中空部の底面の位置から前記部材の開口に向かうにつれて細くなっており、前記第２中空部の形状は、円柱形状であるようにしてもよい。